(57)【要約】【課題】体表面汚染モニタに必要な放射線検出器の量を減らし、機器構成を簡素化した構成によって被検者の体表面全体の放射能汚染を検出することが可能な体表面汚染モニタを得る。【解決手段】解体自在な複数の板材によって構成された筐体と、放射能の有無を検出するプラスチックシンチレーションファイバをプレート状に束ねて筐体に固定された検出部と、検出部から検出される放射能を計測する計測手段とを備え、被検者の体表面全体の放射能汚染を検出する。【選択図】図５
2006106010.tif 000002
【特許請求の範囲】
【請求項１】
解体自在な複数の部材によって構成された筐体と、
放射能の有無を検出するプラスチックシンチレーションファイバをプレート状に束ねて前記筐体に固定された検出部と、
前記検出部から検出される放射能を計測する計測手段とを備えたことを特徴とする体表面汚染モニタ。
【請求項２】
筐体の鉛直方向に複数個の検出部が配置されたことを特徴とする請求項１に記載の体表面汚染モニタ。
【発明の詳細な説明】
【技術分野】
【０００１】
この発明は、原子力発電所等の原子力施設で管理区域に入域した作業者などが管理区域外へ退域するときに体表面が放射能汚染されていないことを確認するための放射線検出装置およびこれを用いた体表面汚染モニタに関するものであり、特に臨界事故等、放射能汚染が生じた可能性のある現場に、迅速に設置し、人体への放射能汚染の有無を判定する放射線検出装置およびこれを用いた体表面汚染モニタに関するものである。
【背景技術】
【０００２】
図６には、従来より有る体表面ゲートモニタの構成例が示されている。同図に示す体表面ゲートモニタ７は、前面検出器収容部８、後面検出器収容部９、側面検出器収容部１０及び、頭部検出器収容部１１より構成されている。ゲートモニタ内に入った被検者２ｂの前面が対面する前面検出器収容部８には放射線検出器８１〜８６が収納され、被検者２ｂの後面が対面する後面検出器収容部９には放射線検出器９１〜９６が収納されている。また、被検者２ｂの左右側面が対面する左右の側面検出器収容部１０は放射線検出器１０１〜１０８が収納されている。
なお、左右の側面検出器収容部１０は、体表面ゲートモニタ７の左右の出入口に対して、図６（ｃ）に示すように、回転扉に取り付けられている。また、被検者２ｂの身長に合わせて上下動する頭部検出器収容部１１は放射線検出器１１１〜１１３が収納されている。
【０００３】
かかる体表面ゲートモニタ７では、ゲートモニタ内に入った作業者が、測定位置で静止して測定可状態になると、各放射線検出器にて作業者の全身表面の放射線密度を測定する。表面汚染密度が予め定められた閾値を越えた場合には、放射線管理者に対して警報を発する（例えば特許文献１参照）。
【０００４】
【特許文献１】特開平８−２４８１３４号公報（第３〜４頁、第９図）
【発明の開示】
【発明が解決しようとする課題】
【０００５】
しかしながら、上述した従来の体表面汚染モニタでは、被検者の体表面全体の放射能汚染分布を測定するためには、多数の放射線検出器が必要であった。
【０００６】
上述したように従来の体表面汚染モニタでは、複数の放射線検出器を必要するため、測定装置全体の構成が大きくなり、臨界事故等の放射能汚染に対応して移動・設置することが困難であった。
【０００７】
本発明は、以上のような課題を鑑みてなされたもので、簡単な構成で被検者の体表面全体の放射能汚染を検出することが可能な放射線検出装置を得ること、体表面汚染モニタに必要な放射線検出器の量を減らすことで、機器構成を簡素化することが可能となり、臨界事故等に放射能汚染に対応するために移動・設置することができる体表面汚染モニタを得ること目的とする。
【課題を解決するための手段】
【０００８】
この発明に係る体表面汚染モニタは、解体自在な複数の板材によって構成された筐体と、放射能の有無を検出するプラスチックシンチレーションファイバをプレート状に束ねて筐体に固定された検出部と、検出部から検出される放射能を計測する計測手段とを備えたものである。
【発明の効果】
【０００９】
この発明に係る体表面汚染モニタは、解体自在な複数の板材によって構成された筐体と、放射能の有無を検出するプラスチックシンチレーションファイバをプレート状に束ねて筐体に固定された検出部と、検出部から検出される放射能を計測する計測手段とを備えたので、簡単な構成で被検者の体表面全体の放射能汚染を検出することが可能な体表面汚染モニタを得ることができる。
【発明を実施するための最良の形態】
【００１０】
実施の形態１．
図１は、この発明に於ける実施例１の適用対象である体表面汚染モニタの一例を示す配置図である。
図に於いて１はプラスチックシンチレーションファイバ１ａをプレート状に束ねた検出部であり、この検出部１を被験者の周囲に配置し、被験者の体表面の放射能の有無を検出するように構成することにより放射線検出装置をなすものである。
プラスチックシンチレーションファイバ１ａは剛性が低いものであり、ある程度曲げたりすることができるものである。
２ａは、放射能汚染を検査される被検者である。
３は、検出部１を固定する筐体であり、この中に被検者２ａが入り、体表面の放射能汚染の有無が測定される。
４ａは、アンプ等の計測装置である。
【００１１】
プラスチックシンチレーションファイバ１ａを例えば筐体３の壁面に取り付け、筐体３の中に被検者２ａが入ることで、被検者２ａの周囲にプラスチックシンチレーションファイバ１ａを配置することが可能となる。
これにより、被検者２ａの体表面のいずれの部位に放射性物質が付着していたとしても、被験者２ａから放射される放射線はプラスチックシンチレーションファイバ１ａを通過しこれにより放射能の有無を直接、検出することができる。
【００１２】
例えば、被検者２ａの背中に放射性物質が付着していた場合、プラスチックシンチレーションファイバ１ａが被検者２ａの背面にも配置されているため、被検者２ａ自身によって遮蔽されることなく、直接、放射線を検出することができる。
被検者２ａの周囲を検出部１が囲んでいなければ、具体的には、被検者２ａの背面にプラスチックシンチレーションファイバ１ａが配置されていなければ、被検者２ａの体表面に付着した放射性物質からの放射線は被検者２ａ自身を透過しなければ、検出部へ入射することができないため、放射線の強度が減衰し、被検者２ａの体表面の放射能汚染を検知する精度が低下する。
【００１３】
図２は、図１に於ける検出部１のより具体的な構成を説明するための図である。
プラスチックシンチレーションフィアバ１ａとは、放射線が入射すると蛍光を発する物質であるプラスチックシンチレータを光ファイバに加工したものである。
プラスチックシンチレーションファイバ１ａに放射線が入射すると、蛍光を発する。この光はプラスチックシンチレーションファイバ１ａが光ファイバであるため、プラスチックシンチレーションフィアバの一端に取り付けられた光検出器５にて検出される。
光検出器５からの出力信号は計測装置４ａにて計測される。
上述した放射線検出のメカニズムは、プラスチックシンチレーションファイバ１ａ上のいずれ位置に於いても同様である。すなわち、プラスチックシンチレーションファイバ１ａ上のいずれの位置に放射線が入射しても検出することが可能である。
【００１４】
プラスチックシンチレーションファイバ１ａは、曲げることが可能であるので、環状に曲げて配置することや、図１の様に筐体に沿って配置することが可能である。これにより、プラスチックシンチレーションフィアバ１ａの内側から２π方向へ放出される放射線を１本のプラスチックシンチレーションフィアバ１ａにて検出することが可能である。
【００１５】
プラスチックシンチレーションファイバ１ａは、柔らかく、曲げることが可能であるため、上述した体表面汚染モニタに於ける可動部、例えば被検者２ａが出入りする扉の付け根部分にも連続してプラスチックシンチレーションファイバ１ａが配置されていても問題はない。
【００１６】
複数のプラスチックシンチレーションフィアバ１ａをプレート状に束ねることで、検出部面積を増大し、感度を向上させることが可能である。また、プラスチックシンチレーションファイバ１ａをプレート状に束ねることにより、周方向のみならず、縦方向へ放出される放射線も検出することが可能である。
【００１７】
複数のプラスチックシンチレーションフィアバ１ａを用いても、プラスチックシンチレーションファイバ１ａプレート状に束ねて、一つの光検出器５へ接続することで、一系統の計測装置４ａのみで全てのプラスチックシンチレーションファイバ１ａへ入射した放射線を検出することが可能である。
【００１８】
実施の形態２．
図３は、この発明に於ける実施例２の適用対象である体表面汚染モニタの一例を示す配置図である。
図に於いて１はプラスチックシンチレーションファイバ１ａをプレート状に束ねた検出部である。
２ａは、放射能汚染を検査される被検者である。
３は、検出部１を固定する筐体であり、この中に被検者２ａが入り、体表面の放射能汚染の有無を測定する。
４ａは、アンプ等の計測装置である。
【００１９】
プラスチックシンチレーションファイバ１ａをプレート状に束ね、筐体３に沿って環状に配置した放射線検出部を、図３に示すように複数個、鉛直方向に配置し、各シンチレーションフィアバ１ａ束ごとに光検出器及び計測装置４ａを取り付ける。
【００２０】
各シンチレーションファイバ１ａ束ごとに入射する放射線を計測することで、被検者２ａの高さ方向の体表面の汚染分布を測定することが可能である。
【００２１】
各シンチレーションファイバ１ａ束ごとに検出された放射線強度を整理し、図４に示すように被検者２ａのどの部位にどの程度の体表面放射能汚染があるかをビジブルに表示することにより、視認性の良い体表面汚染モニタを得ることができる。
【００２２】
実施の形態３．
図５は、この発明に於ける実施例３の適用対象である体表面汚染モニタ及び部品の一例を示す配置図である。
図に於いて１はプラスチックシンチレーションファイバ１ａをプレート状に束ねた検出部である。
２ａは、放射能汚染を検査される被検者である。
３ａは、検出部１を固定する筐体であり、この中に被検者２ａが入り、体表面の放射能汚染の有無を測定する。
４ａは、アンプ等の計測装置である。また、１ｃは、体表面汚染モニタを移設するために、解体した際のプラスチックシンチレーションファイバ１ｃを巻き取ったものである。
３ｂは、体表面汚染モニタの筐体３ａを構成する部分を解体した部品である。
【００２３】
検出部１を構成するプラスチックシンチレーションファイバ１ａは、環状に配置することにより、１つの検出部でプラスチックシンチレーションファイバ１ａを配置した内側から放射される放射線を検出することが可能である。
複数のプラスチックシンチレーションファイバ１ａをプレート状に束にして、使用する場合でも、まとめて一つの光検出器に挿入するため、計測装置４ａは１台でよい。
これにより体表面汚染モニタとして、被検者２ａの体表面の放射能汚染を漏らすことなく検出するために必要な放射線検出器の数量を少なくでき、機器構成を簡素化することが可能である。
【００２４】
被検者２ａの高さ方向の体表面放射能汚染の分布を得るために、複数のプラスチックシンチレーションファイバ１ａ束を層状に配置した場合でも、高さ方向の分割数だけの計測装置のみでよく、従来の体表面汚染モニタに於いて同等の性能を得るために必要な放射線検出器の数量と比較して大幅に機器構成を簡素化することが可能である。
【００２５】
体表面汚染モニタの機器構成を簡素化することで、放射線検出器を保持する筐体の強度を減じることが可能である。
【００２６】
以上より、体表面汚染モニタを構成する各部品数及び、重量を大幅に減ずることができ、臨界事故等の放射能汚染が懸念される現場へ、搬入し、設置することが容易に行うことができる。
【００２７】
検出部にプラスチックシンチレーションファイバ１ａを用いることで可搬型体表面汚染モニタを得ることが可能となる。
【００２８】
以上のように、この発明によれば、プラスチックシンチレーションファイバをプレート状に束ねた検出部を被検者の周囲に配置することで、被検者の体表面の放射能の有無を検出するように構成したので、
被検者の体表面に放射能汚染物質が付着していても、これを検出することが可能となるばかりか、プラスチックシンチレーションファイバを用いているため、環状に曲げて被検者を包み込むように配置、設置するのが容易になり、臨界事故等の現場へ容易に搬入し、設置することが可能となる。
【００２９】
また、プラスチックシンチレーションファイバをプレート状に束ねた検出部を被検者の周囲に配置することで、被検者の体表面の放射能の有無を検出するように構成した放射線検出装置と、
上記放射線検出装置から検出される放射能を計測する計測手段とを備えたので、
体表面汚染モニタの構成を簡素化することが可能であり、各機器を保持する必要が減るために必要とされる筐体の強度も減じ、例えばブラスチックシンチレーションファイバを取り付けるための筐体自体も簡素化することができる。
よって、例えばバラックといった簡素化した建屋等に体表面汚染もニタを設置することが可能となり、臨界事故等の現場へ、容易に搬入し、設置することが可能となる効果がある。
【図面の簡単な説明】
【００３０】
【図１】実施の形態１による体表面汚染モニタの配置の一例を示す図である。
【図２】実施の形態１の検出部の具体的な構成を説明するための図である。
【図３】実施の形態２における体表面汚染モニタの配置の一例を示す図である。
【図４】実施の形態２における体表面汚染モニタの結果表示の一例を示す図である。
【図５】実施の形態３における体表面汚染モニタ及び部品の一例を示す図である。
【図６】従来技術における放射線撮像装置の概略図である。
【符号の説明】
【００３１】
１ａ  プラスチックシンチレーションファイバ、２ａ  被検者、３ａ  筐体、３ｂ  筐体の一部、４ａ  計測装置、５  光検出器、６  出力画面の一例、７  体表面ゲートモニタ。
【図１】
2006106010.tif 000003
【図２】
2006106010.tif 000004
【図３】
2006106010.tif 000005
【図４】
2006106010.tif 000006
【図５】
2006106010.tif 000007
【図６】
2006106010.tif 000008